(57)【要約】      （修正有）【課題】内側に導光部材を備え、その外側にアウターレンズを有するドアミラー用ターンランプ及びターンランプ付きドアミラーを新規な構成で提供する。【解決手段】自動車用ドアミラーのドアミラーカバーに光出射部を形成するためのドアミラー用ターンランプにおいて、光源２２を有する光源部材２０と、一方端面に前記光源からの光を入射する光入射部３１を有し、前記光源からの光の一部を出射面へ導光する導光部材３０と、前記導光部材を収容するハウジング４０と、を備える。前記導光部材の他方端部近傍には、挿入片３８が設けられている。前記ハウジングには、前記挿入片が挿入されて前記導光部材の位置決めを可能な被挿入部４５を備える。【選択図】図３
2017185972.tif 000002
【特許請求の範囲】
【請求項１】
自動車用ドアミラーのドアミラーカバーに光出射部を形成するためのドアミラー用ターンランプにおいて、
光源を有する光源部材と、
一方端面に前記光源からの光を入射する光入射部を有し、前記光源からの光の一部を出射面へ導光する導光部材と、
前記導光部材を収容するハウジングと、
を備えてなり、
前記導光部材の他方端部近傍には、挿入片が設けられており、
前記ハウジングには、前記挿入片が挿入されて前記導光部材の位置決めを可能な被挿入部を備えていることを特徴とするドアミラー用ターンランプ。
【請求項２】
前記導光部材の一方端部近傍には、取付部が設けられており、
前記ハウジングには、前記取付部を嵌合する嵌合爪が設けられていることを特徴とする請求項１記載のドアミラー用ターンランプ
【請求項３】
前記取付部には、前記導光部材の前記挿入片が前記被挿入部に対して適切な位置に配置されていない場合に、前記嵌合爪に当接して前記取付部が前記嵌合爪に嵌合するのを防止する規制片が設けられていることを特徴とする請求項２に記載のドアミラー用ターンランプ。
【請求項４】
前記導光部材の一方端部には、前記光源部材を支持する支持突起が設けられており、
前記光源部材には、被固定部が設けられており、
前記取付部が前記嵌合爪に嵌合した際に、前記被固定部が前記支持突起によって支持されることによって、前記光源部材が固定されることを特徴とする請求項３に記載のドアミラー用ターンランプ。
【請求項５】
前記被挿入部は、奥側に向かって徐々に狭くなるようにテーパー状に形成されていることを特徴とする請求項１から４のいずれか１項に記載のドアミラー用ターンランプ。
【請求項６】
前記ハウジングの少なくとも一部には、外部から内部構造を視認できないようにする遮蔽板が設けられていることを特徴とする請求項１から５のいずれか１項に記載のドアミラー用ターンランプ。
【請求項７】
前記導光部材の背面側には、反射用リブが設けられていることを特徴とする請求項１から６のいずれか１項に記載のドアミラー用ターンランプ。
【請求項８】
前記導光部材の他方端面には、他方端面光出射部が設けられていることを特徴とする請求項１から７のいずれか１項に記載のドアミラー用ターンランプ。
【請求項９】
前記導光部材の他方端部近傍は、先端の他方端面光出射部に向かって徐々に薄くなるように形成されていることを特徴とする請求項１から８のいずれか１項に記載のドアミラー用ターンランプ。
【請求項１０】
請求項１から９のいずれか１項に記載のドアミラー用ターンランプを備えたことを特徴とするターンランプ付きドアミラー。
【発明の詳細な説明】
【技術分野】
【０００１】
本発明は、ドアミラー用ターンランプ及びターンランプ付きドアミラーに関する。
【背景技術】
【０００２】
ターンランプ付きドアミラーとしては、自動車用のドアミラーにおけるドアミラーカバーに備えられて前面から外側面まで回りこむように形成した窓部と、窓部に嵌め込み、ドアミラーの先端に向かって徐々に肉薄になるように形成したアウターレンズと、アウターレンズの内側端面に対向するように、ドアミラーカバーの裏側にて基板上に実装した少なくとも１つのＬＥＤとを含むように、サイドターンランプ付きドアミラーを構成する（特許文献１）ものが提案されている。
【先行技術文献】
【特許文献】
【０００３】
【特許文献１】特開２００７−８３７４０号公報
【発明の概要】
【発明が解決しようとする課題】
【０００４】
かかるターンランプ付ドアミラーは、アウターレンズに直接光を入射させるタイプのものである。
【０００５】
本発明は、内側に導光部材を備えてなり、その外側にアウターレンズを有するドアミラー用ターンランプ及びターンランプ付きドアミラーを新規な構成で提供することにある。
【課題を解決するための手段】
【０００６】
本発明は、上述の目的を達成するために、以下の手段を採った。
【０００７】
本発明にかかる自動車用ドアミラーのドアミラーカバーに光出射部を形成するためのドアミラー用ターンランプにおいて、
光源を有する光源部材と、
一方端面に前記光源からの光を入射する光入射部を有し、前記光源からの光の一部を出射面へ導光する導光部材と、
前記導光部材を収容するハウジングと、
を備えてなり、
前記導光部材の他方端部近傍には、挿入片が設けられており、
前記ハウジングには、前記挿入片が挿入されて前記導光部材の位置決めを可能な被挿入部を備えていることを特徴とする。
【０００８】
かかる構成を採用することによって、内側に配置される導光部材は、挿入片を被挿入部に挿入するという簡単な作業によって導光部材の他方端部をハウジングに対して固定することができる。
【０００９】
また、本発明にかかるドアミラー用ターンランプにおいて、
前記導光部材の一方端部近傍には、取付部が設けられており、
前記ハウジングには、前記取付部を嵌合する嵌合爪が設けられていることを特徴とするものであってもよい。かかる構成を採用することによって、嵌合爪に取付部を嵌合させるという簡単な作業によって、他方端部側も固定することができる。
【００１０】
さらに、本発明にかかるドアミラー用ターンランプにおいて、
前記取付部には、前記導光部材の前記挿入片が前記被挿入部に対して適切な位置に配置されていない場合に、前記嵌合爪に当接して前記取付部が前記嵌合爪に嵌合するのを防止する規制片が設けられていることを特徴とするものであってもよい。かかる構成を採用することによって、導光部材がハウジングに対して適切な位置にないときには、規制片によって挿入片を嵌合爪に取り付けることができなくなる。そのため、導光部材が不適切な位置にある場合には、導光部材の一方端部側がハウジングに嵌めこまれることを防止することができる。
【００１１】
さらに、本発明にかかるドアミラー用ターンランプにおいて、
前記導光部材の一方端部には、前記光源部材を支持する支持突起が設けられており、
前記光源部材には、被固定部が設けられており、
前記取付部が前記嵌合爪に嵌合した際に、前記被固定部が前記支持突起によって支持されることによって、前記光源部材が固定されることを特徴とするものであってもよい。かかる構成を採用することによって、導光部材を取り付けるという作業のみで、同時に光源部材を固定することができるようになる。
【００１２】
さらに、本発明にかかるドアミラー用ターンランプにおいて、
前記被挿入部は、奥側に向かって徐々に狭くなるようにテーパー状に形成されていることを特徴とするものであってもよい。かかる構成を採用することによって、被挿入部に挿入片を一定距離挿入することで遊びがなくなり適切な位置に位置決めすることができる。
【００１３】
さらに、本発明にかかるドアミラー用ターンランプにおいて、
前記ハウジングの少なくとも一部には、外部から内部構造を視認できないようにする遮蔽板が設けられていることを特徴とする。かかる構成を採用することによって、視認させたくない内部構造を隠すことができる。
【００１４】
さらに、本発明にかかるドアミラー用ターンランプにおいて、
前記導光部材の背面側には、反射リブが設けられていることを特徴とするものであってもよい。かかる構成を採用することによって、導光部材の入射面から入射した光を反射リブで出射面側へ屈折させ効率よく出射面から出射することができる。
【００１５】
さらに、本発明にかかるドアミラー用ターンランプにおいて、
前記導光部材の他方端面には、他方端面光出射部が設けられていることを特徴とするものであってもよい。かかる構成を採用することによって、出射面に加えて他方端面光出射部から光を出射することができる。
【００１６】
さらに、本発明にかかるドアミラー用ターンランプにおいて、
前記導光部材の他方端部近傍は、先端の他方端面光出射部に向かって徐々に薄くなるように形成されていることを特徴とするものであってもよい。かかる構成を採用することによって、他方端面光出射部に向かって光を集中させることができ、より強い光を出射することができる。
【００１７】
さらに、本発明は、ドアミラー用ターンランプを備えたことを特徴とするターンランプ付きドアミラーも提供する。
【図面の簡単な説明】
【００１８】
【図１】図１は、実施形態にかかるターンランプ付きドアミラー１１０を示す斜視図である。
【図２】図２Ａは、実施形態にかかるドアミラー用ターンランプ１００の正面図であり、図２Ｂは、図２ＡのＥ−Ｅ断面図である。
【図３】図３は、実施形態にかかるドアミラー用ターンランプ１００の分解斜視図である。
【図４】図４Ａは、図３のＨ部の拡大図であり、図４Ｂは、背面側を示す拡大図である。
【図５】図５は、図３のＦ部の拡大図である。
【図６】図６は、実施形態にかかるアウターレンズの背面側を示す図である。
【図７】図７は、図２のＡ−Ａ部、Ｃ−Ｃ部及びＤ−Ｄ部の拡大断面図である。
【発明を実施するための形態】
【００１９】
以下、本発明の実施形態について図面に沿って詳細に説明する。なお、以下に説明する実施形態及び図面は、本発明の実施形態の一部を例示するものであり、これらの構成に限定する目的に使用されるものではない。また、各図において対応する構成要素には同一又は類似の符号が付されている。なお、以下、特許請求の範囲及び明細書において、「正面」、「背面」、「左右」及び「上下」とは、図１の矢印の方向を示す。なお、本実施形態においてターンランプ付きドアミラー１１０を説明することによって、ドアミラー用ターンランプ１００の説明もなされるため、ターンランプ付きドアミラー１１０全体を説明することによって、ドアミラー用ターンランプ１００の説明に代える。なお、本実施形態においては、自動車の右側に取り付けられるターンランプ付きドアミラー１１０について説明するが、自動車の左側に取り付けられるターンランプ付きドアミラー１１０は左右が反転されるのみで、その他の構成は同様であるので説明を省略する。
【００２０】
本実施形態にかかるターンランプ付きドアミラー１１０は、図１に示すように、ドアミラーカバー１０から光を正面側、左側及び背面側に出射する光出射部１１を有するドアミラー用ターンランプ１００（図２）を備えている。ドアミラー用ターンランプ１００は、ドアミラーカバー１０の内側から取り付けられる構造に作製されており、主として、図３に示すように、ドアミラーカバー１０の内部に配置される光源部材２０と、光源部材２０からの光を出射面３３及び他方端面光出射部３２に導光する導光部材３０と、光源部材２０及び導光部材３０を内側に配置するハウジング４０と、光を遮蔽するための遮蔽板５０、導光部材３０の外側に配置されるアウターレンズ６０と、を備えている。
【００２１】
ドアミラーカバー１０は、自動車の後方側を視認するためのミラーを保持する部材であり、特にその形態を限定するものではなく、様々な形態のドアミラーカバー１０を使用することができる。本実施形態にかかるドアミラーカバー１０は、前面の任意の位置から外側面側まで略水平に長尺の光出射部１１を備えている。
【００２２】
光源部材２０は、光源２２と回路基板２１とを備えている。本実施形態においては、光源２２としてサイズが小さく、長寿命であり、かつ消費電力が少ないＬＥＤを使用している。しかし、発光体であれば、特に限定するものではない。光源２２は、回路基板２１に取り付けられており、回路基板２１がハウジング４０に取り付けられて、後述する導光部材３０の光入射部３１に光を出射する。回路基板２１には、導光部材３０に支持されることによって固定される被固定部２１ａが２箇所設けられている。
【００２３】
導光部材３０は、長尺状に形成された透明な素材からなる部材であり、光源２２からの光をドアミラーカバー１０の光出射部１１側へ導光するための部材である。素材としては、ポリメタクリル酸メチル樹脂等のアクリル樹脂、ポリカーボネート、シクロオレフィン系樹脂が好適に使用されるがこれに限定するものではない。長尺に形成された導光部材３０は、図３に示すように、一方端面（右側端面）に光源２２からの光を入射する光入射部３１を有しており、他方端面（左側端面）に光を出射する他方端面光出射部３２を備えている。導光部材３０の他方端部近傍は、図２Ｂに示すように、背面側が正面側に近づくように、先端の他方端面光出射部３２に向かって徐々に導光部材３０の先端が薄くなるように形成されている。また、導光部材３０の背面側には、光を正面側の出射面３３に導き易くするために、反射用リブ３５が設けられている。反射用リブ３５は、略平行に凹凸の段が連続して設けられている。かかる構成を採用することによって、光入射部３１から入射された光が反射用リブ３５で反射され、正面側により多くの光を出射させることができる。反射用リブ３５の断面形態は、本実施形態においては、図２Ｂに示したように、円柱状の凹部を連続して設けてあるが、これに限定するものではなく、弧状又は波状に形成してもよいし、エッジが有するように三角形に形成してもよい。本実施形態にように円柱状の凹部を設けることによって、光が各方向に拡散して反射されるため、出射面３３からより均一な光を出射することができる。
【００２４】
また、導光部材３０の一方端部には、図４に示すように、光源部材２０を支持するために、回路基板２１の被固定部２１ａを支持固定する支持突起３６が設けられている。さらに、導光部材３０の一方端部近傍には、支持突起３６より左側に、導光部材３０の長手方向の位置決めをするとともにハウジング４０への取り付ける際に、所定の位置に配置された場合にのみ固定できるようにする取付部３７が設けられている。取付部３７は、導光部材３０から上下に延設された取付片３７ａと、この取付片３７ａの内側、すなわち左側に裏面側に延設して形成されている規制片３７ｂが設けられている。取付部３７が導光部材３０を規制する方法については、後述する。
【００２５】
さらに、導光部材３０の他方端部近傍には、図３に示すように、ハウジング４０に挿入して固定するための挿入片３８が両側に設けられている。挿入片３８は、導光部材３０に対して上下方向に延出して形成されている。
【００２６】
ハウジング４０は、図２に示すように、光源部材２０、導光部材３０が内部に収容され、正面側には、遮蔽板５０及びアウターレンズ６０が取り付けられる。
【００２７】
ハウジング４０は、図３に示すように、光源部材２０の位置決めする光源部材第１支持部４１及び光源部材第２支持部４２が設けられている。光源部材第１支持部４１は、光源部材２０の下側及び左右側を支持し、正面側から差し込むことによって上下方向及び左右方向の位置決めをすることができる。光源部材第２支持部４２は、光源部材２０の左右方向を支持し、正面側から差し込むことによって左右方向の位置決めをすることができる。
【００２８】
また、ハウジング４０には、導光部材３０がハウジング４０内に取り付けられた際に、取付部３７に隣接する位置、すなわち、光源部材第１支持部４１の左側に取付部３７を挟み込んで固定する嵌合爪４３が設けられている。嵌合爪４３は、取付部３７の取付片３７ａを両側から挟み込むように固定するとともに、導光部材３０が適切な位置に配置されていない場合には、取付部３７の規制片３７ｂと当接することによって、適切な位置以外では取付片３７ａが嵌め込むことを防止する機能を有している。詳細は後述する。
【００２９】
さらに、ハウジング４０には、導光部材３０の挿入片３８と嵌合する被挿入部４５が設けられている。被挿入部４５は、図５に示すように、導光部材３０を右から左にスライドさせることにより、挿入片３８が挿入される被挿入溝４５ａを有している。被挿入溝４５ａは、奥側ほど幅が狭くなるようにいわゆるテーパー状に設けられていて、挿入片３８は、挿入していくにつれて左右方向及び裏面側の遊びがなくなり位置決めがされる。また、２つの被挿入部４５の間隔も次第に狭くなるように形成されていて、挿入するにつれて挿入片３８は上下方向の位置決めがなされる。すなわち、挿入するにつれて、挿入片３８はすべての方向の位置決めがなされる。
【００３０】
さらに、ハウジング４０には、ドアミラーカバー１０に取り付けるためのドアミラー固定部４９が複数設けられている。
【００３１】
遮蔽板５０は、光源部材２０及び導光部材３０の支持突起３６及び取付部３７を覆って、外部から視認できないようにするものである。遮蔽板５０は、光を遮蔽することが可能な非透過性の素材で作製される。遮蔽板５０をハウジング４０に固定する方法は、特に限定するものではなく、ネジ止め等でもよい。本実施形態においては、フックで固定することができるように作製されている。
【００３２】
アウターレンズ６０は、ハウジング４０の正面側を覆う部材であり、一部がドアミラーカバー１０から露出して正面側及び背面側に光を出射する光出射部１１を形成する。そのため、少なくとも光出射部１１の部分は透明又は半透明に形成される。勿論、アウターレンズ６０全体を透明又は半透明に形成してもよい。色は無色であっても有色であってもよい。光出射部１１は、ドアミラーカバー１０に嵌め込むことができるように凸部を形成している。なお、光出射部１１は、レンズ効果を有するように形成してもよいし、光出射部１１の裏面側にも、図６に示すように、反射用リブ６３を形成しても構わない。アウターレンズ６０の他方端部側には、導光部材３０の他方端面光出射部３２からの光を入射して、ドアミラーカバー１０に取り付けられた際に背面側へ光を出射する背面側光出射部６１を有している。背面側光出射部６１は、段差が形成されていて、効率的に光を背面側に出射できるように面が形成されている。
【００３３】
以上のように構成された光源部材２０と、導光部材３０と、ハウジング４０と、遮蔽板５０及びアウターレンズ６０は、以下のようにして組み立てられる。
【００３４】
まず、図３に示すように、ハウジング４０に光源部材２０を垂直に嵌め込む。これにより、光源部材２０は、左右方向及び上下方向の位置決めがなされる。この段階では、正面側方向への位置決めはされておらず、容易に取り外せる状態にある。
【００３５】
次に、ハウジング４０に導光部材３０の他方端部側の挿入片３８を被挿入部４５の被挿入溝４５ａにスライドするように差し込んでいく。前述したように、挿入片３８を奥深くに差し込んでいくことにより導光部材３０の他方端部は、上下方向、正面及び背面方向並びに及び左側方向への位置決めがなされる。図７Ａに示すように、挿入片をより左側に挿入することによって隙間がなくなり、固定されていることがわかる。
【００３６】
そして、次に、導光部材３０の一方端部をハウジング４０に嵌める。このときに、導光部材３０の他方端部の挿入片３８が適切な位置まで挿入されていない場合（すなわち、導光部材３０が本来の位置より若干右側に配置されている場合）には、一方端部をハウジング４０側に押し込んだとしても、規制片３７ｂがハウジング４０の嵌合爪４３に当接するため、嵌めこむことができない。仮に規制片３７ｂが存在しないと、導光部材３０が適切な位置まで挿入されていないときでも無理に押しこむことができるため、導光部材３０、特に取付片３７ａが光源２２に当接して損傷させる可能性がある。しかし、この規制片３７ｂが存在することによって、光源２２に当接することを防止でき、光源２２を損傷する可能性を防止することができる。導光部材３０を適切な位置まで挿入すると、規制片３７ｂが嵌合爪４３の内側まで移動し、図７Ｂに示すように、嵌合爪４３と当接することなく押し込まれ、取付片３７ａが嵌合爪４３によって係止され、導光部材３０の一方端部がハウジング４０に固定される。この状態のとき、図７Ｃに示すように、導光部材３０の支持突起３６が回路基板２１の被固定部２１ａを押圧し、光源部材２０をハウジング４０に固定する。
【００３７】
さらに、遮蔽板５０をハウジング４０に取り付けた後、アウターレンズ６０を取り付けることによって、ドアミラー用ターンランプ１００が完成する。この遮蔽板５０及びアウターレンズ６０も、図２Ｂに示すように光源部材２０を押圧し、固定する機能を有している。
【００３８】
こうして完成したドアミラー用ターンランプ１００は、ハウジング４０に設けられたドアミラー固定部４９によって螺子等によってドアミラーカバー１０に内側から取り付けることによって、ターンランプ付きドアミラー１１０が完成する。
【００３９】
こうして作製されたターンランプ付きドアミラー１１０は、光源２２からの光によって、導光部材３０の光入射部３１から入射され、光の一部は、直接又は反射用リブ３５によって反射され出射面３３から出射され、アウターレンズ６０に入射され、光出射部１１から出射されてターンランプ付きドアミラー１１０の正面側から光を出射し、前方又は側方の周囲の人々にドアミラーの位置を視認させることができる。また、他の光の一部は他方端面光出射部３２から出射され、アウターレンズ６０の背面側光出射部６１から出射され、後方側へ光を出射し、後方の周囲の人々にドアミラーの位置を視認させることができる。
【００４０】
なお、本発明は上述した実施形態に何ら限定されることはなく、本発明の技術的範囲に属する限り種々の態様で実施し得る。
【産業上の利用可能性】
【００４１】
上述した実施形態で示すように、ドアミラーに設けられるランプとして、産業上利用可能である。
【符号の説明】
【００４２】
１０…ドアミラーカバー、１１…光出射部、２０…光源部材、２１…回路基板、２１ａ…被固定部、２２…光源、３０…導光部材、３１…光入射部、３２…他方端面光出射部、３３…出射面、３５…反射用リブ、３６…支持突起、３７…取付部、３７ａ…取付片、３７ｂ…規制片、３８…挿入片、４０…ハウジング、４１…光源部材第１支持部、４２…光源部材第２支持部、４３…嵌合爪、４５…被挿入部、４５ａ…被挿入溝、４９…ドアミラー固定部、５０…遮蔽板、６０…アウターレンズ、６１…背面側光出射部、６３…反射用リブ、１００…ドアミラー用ターンランプ、１１０…ターンランプ付きドアミラー
【図１】
2017185972.tif 000003
【図２】
2017185972.tif 000004
【図３】
2017185972.tif 000005
【図４】
2017185972.tif 000006
【図５】
2017185972.tif 000007
【図６】
2017185972.tif 000008
【図７】
2017185972.tif 000009